(57)【要約】  モジュール式の車椅子で入るシャワーシステムは、上方表面及び下側表面を有するベースと、上方表面から上方に延びる複数の側壁と、複数の側壁の第１の側壁に取り付けられたドアとを含んでいる。側壁、ドア、及びベースは、ともに接続されて、ベースの上方に開口を有する、実質的に水密な入浴チャンバを形成している。ドアは、側壁または側柱に取り付けられている。ドアは、このドアを閉じた位置にスイングするように付勢されたある角度で取り付けられている場合があり、あるいは、ドアは、このドアを閉じた位置にスイングする、バネが設けられたヒンジが取り付けられている場合がある。ドアは、開閉するように電子的に制御されている場合もある。システムは、アクセス用傾斜路をも含んでいる。このアクセス用の傾斜路は、フロア表面から、ベースの上方表面に車椅子が車椅子で入ることを可能にするように、第１の側部でフロア表面と実質的に同一平面を形成し、第２の側部でベースの上方表面と実質的に同一平面を形成している。【選択図】図４
2020500094.tif 000002
【特許請求の範囲】
【請求項１】
モジュール式の車椅子で入るシャワーシステムであって、
少なくとも３つの側部、及び上方表面、及び下側表面を有するベースであって、前記上方表面の少なくとも一部がスロープを有し、前記ベースが、前記上方表面のもっとも低いポイントにドレインをさらに有し、前記少なくとも３つの側部が、ドア用の側部を含んでいる、前記ベースと、
前記ベースから上方に延びる複数の側壁であって、各側壁が、前記ベースに接続されるとともに、実質的に水密なシールを形成するように構成されており、各側壁が１つまたは複数の隣接する側壁に接続されるとともに、実質的に水密なシールを形成するように構成されており、前記ベースと前記側壁とが合わさって、前記ベースの上方の開口、及び、前記ドア用の側部の開口を有するチャンバを形成する、前記複数の側壁と、
前記複数の側壁の第１の側壁に取り付けられたドアであって、前記ドアが、開いた際に、前記チャンバへのアクセスを提供するように、前記ベースから外側にスイングするように構成されており、前記ドアが、閉じた際に、実質的に水密なシールを形成するように、前記複数の側壁の第２の側壁に対して静止するようにも構成されており、前記ドアが、前記ドアが閉じた位置にスイングするように付勢されるように、前記第１の側壁に取り付けられている、前記ドアと、
前記モジュール式の車椅子で入るシャワーシステムが置かれるフロア表面と実質的に同一平面を形成する第１の側部を有するアクセス用傾斜路であって、前記アクセス用傾斜路が、前記ベースの前記上方表面と実質的に同一平面を形成する第２の側部をさらに有し、前記アクセス用傾斜路が、前記ドア用の側部に沿って前記ベースに接続されるとともに、車椅子が、前記フロア表面から前記ベースの前記上方表面に進むことを可能にするように構成されている、前記アクセス用傾斜路と、
を備えている、モジュール式の車椅子で入るシャワーシステム。
【請求項２】
前記ベースが、前記ドア用の側部を除く、前記ベースの前記側部の各々に、前記ベースから上方に延びるリップをさらに備えている、請求項１に記載の、モジュール式の車椅子で入るシャワーシステム。
【請求項３】
各側壁が、前記リップの上方表面で前記ベースに接続されている、請求項２に記載の、モジュール式の車椅子で入るシャワーシステム。
【請求項４】
前記ドアが、前記ドアが閉じた位置にスイングするように付勢されるように、ある角度で取り付けられている、請求項１に記載の、モジュール式の車椅子で入るシャワーシステム。
【請求項５】
前記ドアが、前記ドアが閉じた位置にスイングするように付勢されるように、バネが設けられたヒンジを使用して取り付けられている、請求項１に記載の、モジュール式の車椅子で入るシャワーシステム。
【請求項６】
前記チャンバとは反対側に向いた前記ドアの外側表面に、ハンドルをさらに備えている、請求項１に記載の、モジュール式の車椅子で入るシャワーシステム。
【請求項７】
前記複数の側壁の少なくとも１つが、前記側壁の頂縁部から下方に延びて、前記側壁に、実質的にＵ形状の開口を形成する凹部を備え、
前記実質的にＵ形状の開口が、介護者が前記チャンバの内の入浴者にアクセスすることを可能にするようなサイズである、
請求項１に記載の、モジュール式の車椅子で入るシャワーシステム。
【請求項８】
前記実質的にＵ形状の凹部に位置するウインドウをさらに備えている、請求項７に記載の、モジュール式の車椅子で入るシャワーシステム。
【請求項９】
前記ウインドウが取外し可能である、請求項８に記載の、モジュール式の車椅子で入るシャワーシステム。
【請求項１０】
前記ウインドウが、介護者が前記チャンバの内の入浴者にアクセスすることを可能にするために、前記ウインドウが開くようにスイングすることを可能にするように構成された１つまたは複数のヒンジにより、前記複数の側壁の前記少なくとも１つに取り付けられている、請求項８に記載のモジュール式の車椅子で入るシャワーシステム。
【請求項１１】
水の供給源からの水を受領し、前記チャンバの外に排水するための配管接続をさらに備えている、請求項１に記載の、モジュール式の車椅子で入るシャワーシステム。
【請求項１２】
前記チャンバの内へ、及び、前記チャンバの外へ、水を移動するための１つまたは複数のポンプをさらに備えている、請求項１１に記載の、モジュール式の車椅子で入るシャワーシステム。
【請求項１３】
モジュール式の車椅子で入るシャワーシステムであって、
少なくとも３つの側部、及び上方表面、及び下側表面を有するベースであって、前記上方表面の少なくとも一部がスロープを有し、前記ベースが、前記上方表面のもっとも低いポイントにドレインをさらに有し、前記少なくとも３つの側部が、ドア用の側部を含んでいる、前記ベースと、
前記ベースから上方に延びる複数の側壁であって、各側壁が、前記ベースに接続されるとともに、実質的に水密なシールを形成するように構成されており、各側壁が１つまたは複数の隣接する側壁に接続されるとともに、実質的に水密なシールを形成するように構成されており、前記ベースと前記側壁とが合わさって、前記ベースの上方の開口、及び、前記ドア用の側部の開口を有するチャンバを形成する、前記複数の側壁と、
前記ベースに取り付けられた側柱と、
前記側柱に取り付けられたドアであって、前記ドアが、開いた際に、前記チャンバへのアクセスを提供するように、前記ベースから外側にスイングするように構成されており、前記ドアが、閉じた際に、実質的に水密なチャンバを形成するようにも構成されており、前記ドアが、前記ドアが閉じた位置にスイングするように付勢されるように、前記側柱に取り付けられている、前記ドアと、
前記モジュール式の車椅子で入るシャワーシステムが置かれるフロア表面と実質的に同一平面を形成する第１の側部を有するアクセス用傾斜路であって、前記アクセス用傾斜路が、前記ベースの前記上方表面と実質的に同一平面を形成する第２の側部をさらに有し、前記アクセス用傾斜路が、前記ドア用の側部に沿って前記ベースに接続されるとともに、車椅子が、前記フロア表面から前記ベースの前記上方表面に進むことを可能にするように構成されている、前記アクセス用傾斜路と、
を備えている、モジュール式の車椅子で入るシャワーシステム。
【請求項１４】
前記ベースが、前記ドア用の側部を除く、前記ベースの前記側部の各々に、前記ベースから上方に延びるリップをさらに備えている、請求項１３に記載の、モジュール式の車椅子で入るシャワーシステム。
【請求項１５】
各側壁が、前記リップの上方表面で前記ベースに接続されている、請求項１４に記載の、モジュール式の車椅子で入るシャワーシステム。
【請求項１６】
前記ドアが、前記ドアが閉じた位置にスイングするように付勢されるように、ある角度で取り付けられている、請求項１３に記載の、モジュール式の車椅子で入るシャワーシステム。
【請求項１７】
前記ドアが、前記ドアが閉じた位置にスイングするように付勢されるように、バネが設けられたヒンジを使用して取り付けられている、請求項１３に記載の、モジュール式の車椅子で入るシャワーシステム。
【請求項１８】
前記チャンバとは反対側に向いた前記ドアの外側表面に、ハンドルをさらに備えている、請求項１３に記載の、モジュール式の車椅子で入るシャワーシステム。
【請求項１９】
前記複数の側壁の少なくとも１つが、前記側壁の頂縁部から下方に延びて、前記側壁に、実質的にＵ形状の開口を形成する凹部を備え、
前記実質的にＵ形状の開口が、介護者が前記チャンバの内の入浴者にアクセスすることを可能にするようなサイズである、
請求項１３に記載の、モジュール式の車椅子で入るシャワーシステム。
【請求項２０】
前記実質的にＵ形状の凹部に位置するウインドウをさらに備えている、請求項１９に記載の、モジュール式の車椅子で入るシャワーシステム。
【請求項２１】
前記ウインドウが取外し可能である、請求項２０に記載の、モジュール式の車椅子で入るシャワーシステム。
【請求項２２】
前記ウインドウが、介護者が前記チャンバの内の入浴者にアクセスすることを可能にするために、前記ウインドウが開くようにスイングすることを可能にするように構成された１つまたは複数のヒンジにより、前記複数の側壁の前記少なくとも１つに取り付けられている、請求項２０に記載のモジュール式の車椅子で入るシャワーシステム。
【請求項２３】
水の供給源からの水を受領し、前記チャンバの外に排水するための配管接続をさらに備えている、請求項１３に記載の、モジュール式の車椅子で入るシャワーシステム。
【請求項２４】
前記チャンバの内へ、及び、前記チャンバの外へ、水を移動するための１つまたは複数のポンプをさらに備えている、請求項２１に記載の、モジュール式の車椅子で入るシャワーシステム。
【発明の詳細な説明】
【技術分野】
【０００１】
関連出願の相互参照
本出願は、２０１６年１１月２３日に出願された、米国仮特許出願第６２／４２５，８１９号の優先権を主張する。この文献は、本明細書で参照することにより、その全体が組み込まれる。
【０００２】
政府の権利
米国政府は、本発明の支払い済みのライセンス及び、Ｔｈｅ  Ｄｅｐａｒｔｍｅｎｔ  ｏｆ  Ｖｅｔｅｒａｎｓ  Ａｆｆａｉｒｓによって与えられた、Ｇｒａｎｔ  Ｎｏ．  Ｆ０６２７−Ｒの条件によって与えられる、妥当な条件の上で、他者にライセンスを与えることを特許権者に要求する、限定された状況の権利を有している。
【０００３】
本開示は、概して、入浴用デバイスに関し、より詳細には、車椅子で入るシャワー（ｒｏｌｌ−ｉｎ  ｓｈｏｗｅｒ）装置に関する。
【背景技術】
【０００４】
入浴またはシャワーを浴びることを補助する洗面デバイスが、高齢者及び障害者の人々の間で一般的である。Ｎａｔｉｏｎａｌ  Ｃｅｎｔｅｒ  ｆｏｒ  Ｈｅａｌｔｈ  Ｓｔａｔｉｓｔｉｃｓは、６５歳を超える人々すべての内の約１０パーセントが、入浴が困難であり、約６パーセントが、補助を受けていることを報告している。デンマークでは、住民の２５０万人もの人々の、外傷性の脊髄損傷（ＳＣＩ）の後に受けた、ホームヘルパー、住居の改造、及び個人的な補助の評価において、報告されているもっとも一般的な補助または住居の改造は、バスタブまたはシャワーに関するものであった（６９％）。浴室での補助に関する意識が増大するのに関わらず、家のどの部屋も、安全性に関する脅威が浴室よりも大きくはない。Ｎａｔｉｏｎａｌ  Ｓａｆｅｔｙ  Ｃｏｕｎｃｉｌは、浴室内の傷害のすべての事象の７．８％が、６５歳以上の人が関係するものであったことを報告している。この理由は、浴室におけるもっとも大きい危険は、バスタブまたはシャワーに入るか出る際のスリップ及び落下である。
【０００５】
高齢者の要請を満たすために、在宅医療サービスの産業は、２００５年の４０８０万ドルから、２００９年の５７２０万ドルに成長した。同様の成長が、定年になり、自身の家に居ることを望む高齢者の数の増大に基づき、将来に予想される。この同じ期間の間、利用可能なバスタブ及びシャワーの産業が、２００５年の１億１９１０万ドルから、２０１０年の１億４８５０万ドルに増大した。同様の成長率が、浴槽及びプールのリフトの産業において見られ、２００５年の３６６０万ドルから２０１０年の４５６０万ドルに成長した。この毎年４．５％の成長率は、ベビーブームで生まれた世代が定年することから、継続すると推定される。
【０００６】
脊髄損傷／機能障害（ＳＣＩＤ）を持つ個人は、浴室において、等しいか、より顕著な課題に直面する。設計チームによって開発されている設備は、ＳＣＩＤを有する、２６２０００人と見積もられる人数（Ｎａｔｉｏｎａｌ  Ｓｐｉｎａｌ  Ｃｏｒｄ  Ｉｎｊｕｒｙ  Ｓｔａｔｉｓｔｉｃｓ  Ｃｅｎｔｅｒ）をも補助する。毎年、約１２０００の新たな脊髄損傷のケースが存在する。これら損傷の内、５１．９％が四肢麻痺であり、４５．２％が対麻痺である（Ｎａｔｉｏｎａｌ  Ｓｐｉｎａｌ  Ｃｏｒｄ  Ｉｎｊｕｒｙ  Ｓｔａｔｉｓｔｉｃｓ  Ｃｅｎｔｅｒ）。この損傷のレベルにより、能力が低下することになり、また、いくつかのケースでは、個人は、入浴、及び、日々の生活の他の動作のために、介護者の補助を必要とすることになる。Ｂｉｒｍｉｎｇｈａｍ、ＡｌａｂａｍａのＮａｔｉｏｎａｌ  Ｓｐｉｎａｌ  Ｃｏｒｄ  Ｉｎｊｕｒｙ  Ｓｔａｔｉｓｔｉｃｓ  Ｃｅｎｔｅｒ（ＮＳＣＩＳＣ）は、個人の住宅に住む者として、この人々の９１％を超える人を追跡している。家に残ることの必要性は、高齢者にとってのものと同様に、脊髄を損傷した患者にはやむを得ないものとして、自活期間を長くし、医療費を低減し、また、高品質の生活を維持することである。
【０００７】
さらに、養護施設の住人の約９０％が、入浴に問題を抱えており、入浴の制限が、長期の養護施設の入居において特に強い予測であると見積もられている。助けになる技術が、自立性を向上させ、介護の負担を軽減するために使用されるが、高齢者及びＳＣＩＤを患う患者の中で、助けになるデバイスを提供するための公正なシステムが欠如している。高い安全性の基準を維持しつつ、より高い自立性を促す、新たな技術の出現により、患者は、家庭または外来施設内における、助けになる入浴用デバイスに投資することをより望んでいる。
【０００８】
したがって、上述の慣習的なシステムに見られる、これら顕著な問題を克服する、システム及び方法が必要とされている。
【発明の概要】
【０００９】
本発明は、高齢の個人、またはＳＣＩＤ患者、または、入浴及びシャワーを浴びるために、シャワー用の車椅子を使用するあらゆる個人のために設計された、モジュール式の車椅子で入るシャワーシステムを記載している。モジュール式の車椅子で入るシャワーシステムは、大がかりな浴室の変更は必要とせず、水の供給源及びドレインにホースを接続することができる、家庭のどの場所にも設置することができる。
【００１０】
モジュール式の車椅子で入るシャワーシステムは、安全に移動するか自分で進んでシャワーに入る際、及び、車椅子の位置からシャワーに移る際に、入浴者を補助するいくつかの特徴を包含している。これら特徴には、車椅子の余分な幅を収容するような寸法（たとえば、２２８ｃｍ×９５ｃｍの出入口）、排水のための傾斜が付けられたフロア及び水槽、ならびに、ドアを開き、モジュール式の車椅子で入るシャワーシステムに入ることを促すための適切なサイズのドアハンドルが含まれる。
【００１１】
モジュール式の車椅子で入る本シャワーシステムを、慣習的な車椅子で入るシャワーと区別する、２つの設計上の特徴は、１）手を用いなくてもよい、それ自体で開閉するドアと、２）介護者によるアクセスを促すための、側壁の開口、及び、ヒンジで取り付けられたか取外し可能な半透明のウインドウと、である。これら２つの特有の特徴により、モジュール式の車椅子で入る本シャワーシステムの、慣習的な車椅子で入るシャワーに対する顕著な利点が提供される。この理由は、これら本シャワーシステムが、カスタマイズ可能なレベルの入浴サポートを入浴者に提供し、また、入浴及びシャワーの手順において、オプションの、個別の入浴または介護者の補助をも提供するためである。
【００１２】
モジュール式の車椅子で入るシャワーシステムの外に位置するドアハンドルの角度により、モジュール式の車椅子で入るシャワーシステムに入る前に、シャワーのドアを開くために、車椅子の位置から、都合良く入浴者の手が届き、把持することを可能にする。ドアを開き、モジュール式のシャワーシステム内に車椅子で入った後は、入浴者は、ドアを閉じる必要はない。３度の角度で取り付けられたドアの重さが、ヒンジとともに作用して、入浴者の後方で、手を用いることなく、ドアを閉じるようにスイングする。閉じられると、ドアは、側柱と係合して、水がモジュール式のシャワーシステムを出ることを防止するようにシールする。シャワーが完了した後は、入浴者は、自身の車椅子のホイールを使用して、ドアにぶつかり、ドアを内側から開くように押すことにより、手を用いることなく出ることができる。
【００１３】
車椅子で入るシャワーの側壁の開口により、入浴者が外部を見ることを可能にし、また、側壁の開口は、介護者に、入浴者の入浴／シャワーを補助するためのアクセスをも提供する。モジュール式の車椅子で入るシャワーシステムは、壁の開口にスライドする、プラスチックの半透明なウインドウを含んでいる。これらウインドウがきちんとフィットして、モジュール式のシャワーシステムから水が出ることを防止する一方、これらウインドウは、容易に開くか取り外して、入浴者への介護者のアクセスを達成することもできる。一実施形態では、ウインドウは、平滑であるか波状の、透明であるかわずかに不透明なポリマで構成されている。このポリマにより、シャワーの中及び外を見るのに十分な視認性が提供される。代替的には、ウインドウは、ワンウェイミラーとして構成される場合があり、それにより、入浴者が外を見ることができるが、人々は中を見ることができない。
【００１４】
本発明の他の特徴及び利点は、以下の詳細な説明及び添付図面を閲覧した後に、当業者にはより容易に明らかになるであろう。
【００１５】
本発明の構造及び操作は、以下の詳細な説明及び添付図面を閲覧することから理解されることになる。添付図面では、同様の参照符号は、同様のパーツを参照している。
【図面の簡単な説明】
【００１６】
【図１】本発明の一実施形態に係る、例示的なモジュール式の車椅子で入るシャワーシステムを示す斜視図である。
【図２】本発明の一実施形態に係る、例示的なモジュール式の車椅子で入るシャワーシステムを示す上面図である。
【図３】本発明の一実施形態に係る、車椅子に乗った入浴者によってアクセス可能な、例示的なモジュール式の車椅子で入るシャワーシステムを示す斜視図である。
【図４】本発明の一実施形態に係る、例示的なモジュール式の車椅子で入るシャワーシステムを示す斜視図である。
【図５】本発明の一実施形態に係る、取外し可能なウインドウを有する、例示的なモジュール式の車椅子で入るシャワーシステムを示す斜視図である。
【図６】本発明の一実施形態に係る、介護者によってアクセス可能な、例示的なモジュール式の車椅子で入るシャワーシステムを示す斜視図である。
【図７】本発明の一実施形態に係る、側壁の凹部を介して介護者によってアクセス可能な、例示的なモジュール式の車椅子で入るシャワーシステムを示す斜視図である。
【図８】本発明の一実施形態に係る、例示的なモジュール式の車椅子で入るシャワーシステムを示す展開図である。
【図９】本発明の一実施形態に係る、側柱を有する、例示的なモジュール式の車椅子で入るシャワーシステムを示す展開図である。
【図１０】本発明の一実施形態に係る、側柱を有する、例示的なモジュール式の車椅子で入るシャワーシステムを示す展開図である。
【発明を実施するための形態】
【００１７】
本明細書に開示の特定の実施形態は、車椅子に乗った入浴者、及び、入浴プロセスを補助する介護者が、容易にアクセスすることを可能にするように構成された、モジュール式の車椅子で入るシャワーシステムを提供する。本記載を読んだ後は、様々な代替的実施形態及び代替的用途で、本発明をどのように実施するかが、当業者には明らかとなるであろう。しかし、本発明の様々な実施形態が本明細書に記載されているが、これら実施形態は、例としてのみ提供され、限定するものではないことを理解されたい。したがって、様々な代替的実施形態のこの詳細な記載は、添付の特許請求の範囲に説明された、本発明の範囲または幅を限定するものとは解釈されないものとする。
【００１８】
図１は、本発明の一実施形態に係る、例示的なモジュール式の車椅子で入るシャワーシステム１０を示す斜視図である。図示の実施形態では、システム１０は、複数の側壁３０に取り付けられたベース２０を備えている。ベース２０、側壁３０、及びドア４０は、入浴チャンバ１５を規定している。ドア４０は、ヒンジ４５を使用して第１の側壁３０に取り付けられている。ドア４０は、ハンドル５０を含んでいる。このハンドル５０は、車椅子がシャワーシステム１０に、たとえば傾斜路６０上で近付く際に、車椅子に乗った入浴者がハンドルを引き、ドアを開くことを可能にするのに十分な距離だけ、ドアから外に延びている。傾斜路６０は、車椅子に乗った入浴者による入浴チャンバ１５への容易なアクセスを促すように、第１の側部がフロアと実質的に同一平面を形成し、第２の側部がベース２０の上方表面と実質的に同一平面を形成している。シャワーシステム１０の複数の側壁３０の１つまたは複数は、凹部７０をも含んでいる。この凹部７０は、取外し可能なウインドウ８０を固定することができる開口を規定するように、側壁３０の上方縁部から下方に延びている。ウインドウ８０は、有利には、介護者がシャワーシステム１０内の入浴者にアクセスして、入浴プロセスを補助することを可能にするように、取り外すことができる。
【００１９】
一実施形態では、モジュール式の車椅子で入るシャワーシステム１０は、少なくとも３つの側部と、上方表面と、下側表面とを有するベース２０を備えている。ベース２０の上方表面の少なくとも一部は、スロープを有しており、ベース２０は、上方表面のもっとも低いポイントにドレインをさらに有している。ベース２０の側部の１つは、ドア用の側部である。このドア用の側部は、傾斜路６０に接続するように構成されており、また、ドア４０とともに実質的に水密なシールを確立するようにも構成されている。
【００２０】
この実施形態では、複数の側壁３０は、ベース２０から上方に延びており、各側壁３０は、ベースに接続されるとともに、実質的に水密なシールを形成するように構成されている。さらに、各側壁３０は、１つまたは複数の隣接する側壁３０と接続され、実質的に水密なシールを形成するようにも構成されており、それにより、ベース２０と側壁３０とが合わさって、ベース２０の上方の開口と、ドア用の側部の開口とを有する、入浴チャンバ１５を形成するようになっている。シャワーシステム１０は、複数の側壁３０の第１の側壁に取り付けられたドア４０をも含んでいる。ドア４０は、開いた際に入浴チャンバ１５へのアクセスを提供するように、ベース２０から外側にスイングするように構成されている。ドア４０は、閉じた際に実質的に水密なシールを形成するように、複数の側壁３０の第２の側壁に対して静止するようにも構成されている。有利には、ドアは、１つまたは複数のヒンジ４５により、第１の側壁３０に取り付けることができ、それにより、ドア４０が、閉じた位置にスイングするように付勢されるようになっている。ドア４０は、ドア４０をある角度で取り付けること、または、ドア４０を閉じた位置に自動的にスイングするように構成されたヒンジ４５を使用してドア４０を取り付けることにより、閉じた位置にスイングするように付勢されている場合がある。たとえば、電子的に制御されたヒンジ４５、または、バネが備えられたヒンジなどの、機械的に制御されたヒンジ４５が、ドア４０を閉じた位置に継続的にプレスしている。
【００２１】
さらに、この実施形態においては、シャワーシステム１０は、アクセス用傾斜路６０を含んでいる。このアクセス用傾斜路６０は、シャワーシステム１０のベース２０が置かれるフロア表面と実質的に同一平面を形成している第１の側部を有している。アクセス用傾斜路６０は、ベース２０の上方表面と実質的に同一平面を形成し、ベース２０のドア用の側部に沿ってベース２０に接続された第２の側部をも有しており、それにより、車椅子が、フロア表面から、ベース２０の上方表面上に車椅子でいくことができるようになっている。
【００２２】
さらに、この実施形態では、シャワーシステム１０は、入浴チャンバ１５とは反対側を向いた、ドア４０の外側表面に取り付けられたハンドル５０を含んでいる。さらに、側壁３０の１つまたは複数は、側壁３０の頂縁部から下方に延びて、側壁３０に、実質的にＵ形状の開口を形成する凹部７０を含んでいる。凹部７０の縁部の１つまたは複数の部分は、ウインドウ８０が凹部７０に固定された側壁３０が、実質的に水密であるように、取外し可能なウインドウ８０を凹部７０に固定するように構成されている。有利には、ウインドウ８０が凹部７０から取り外された場合、凹部７０は、介護者がチャンバ１５内の入浴者にアクセスできるようなサイズ及び形状である。シャワーシステム１０は、水の供給源からの水を受領し、チャンバ１５の外に排水するための、１つまたは複数の配管接続をも含んでいる。シャワーシステム１０は、チャンバ１５内へ、及び、チャンバ１５外へ、水を移動するための１つまたは複数のポンプをも含む場合がある。
【００２３】
代替的な実施形態では、ベース２０は、ドア用の側部を除き、ベース２０の各側部に、ベース２０から上方に延びるリップをも含む場合がある。有利には、リップは、シャワーシステム１０の、より水密な構成を促す。この代替的実施形態では、各側壁３０は、リップの上方表面でベース２０に接続されている。
【００２４】
図２は、本発明の一実施形態に係る、例示的なモジュール式の車椅子で入るシャワーシステム１０を示す上面図である。図示の実施形態では、シャワーシステム１０は、ドレイン２５を有するベース２０を備えており、このベース２０は、複数の側壁３０に取り付けられている。ベース２０、側壁３０、及びドア４０は、車椅子１００にフィットするようなサイズである入浴チャンバ１５を規定している。シャワーシステム１０は、シャワーワンド１２０をも含んでいる。ドア４０は、第１の側壁３０に取り付けられるとともに、ハンドル５０を含んでいる。このハンドル５０は、車椅子１００がシャワーシステム１０に近付く際、たとえば、車椅子１００が傾斜路６０上にある際に、車椅子１００に乗った入浴者がハンドル５０を引き、ドア４０を開くことを可能にするのに十分な距離だけ、ドア４０から外に延びている。ドア４０は、チャンバ１５に向いたドア４０の内側表面に取り付けられた第２のハンドル５５をも含んでいる。ハンドル５５は、入浴者が、入浴チャンバ１５に入った後にドア５０を手で閉じることを可能にしている。傾斜路６０は、車椅子１００に乗った入浴者による入浴チャンバ１５への容易なアクセスを促すように、第１の側部がフロアと実質的に同一平面を形成し、第２の側部がベース２０の上方表面と実質的に同一平面を形成している。シャワーシステム１０の複数の側壁３０の１つまたは複数は、凹部７０をも含んでいる。この凹部７０は、取外し可能なウインドウ８０を固定することができる開口を規定するように、側壁３０の上方縁部から下方に延びている。ウインドウ８０は、有利には、介護者がシャワーシステム１０内の入浴者にアクセスして、入浴プロセスを補助することを可能にするように、取り外すことができる。
【００２５】
図３は、本発明の一実施形態に係る、車椅子１００に乗った入浴者によってアクセス可能な、例示的なモジュール式の車椅子で入るシャワーシステム１０を示す斜視図である。図示の実施形態では、シャワーシステム１０は、複数の側壁３０に取り付けられたベース２０を備えている。シャワーシステム１０は、側壁３０の１つに取り付けられたドア４０をも含んでいる。ベース２０、側壁３０、及びドア４０は、車椅子１００にフィットするようなサイズである入浴チャンバ１５を規定している。ドア４０は、第１の側壁３０に取り付けられるとともに、ハンドル５０を含んでいる。このハンドル５０は、車椅子１００がシャワーシステム１０に近付く際、たとえば、図示のように、車椅子１００が傾斜路６０の上か近くにある際に、車椅子１００に乗った入浴者がハンドル５０を引き、ドア４０を開くことを可能にするのに十分な距離だけ、ドア４０から外に延びている。有利には、傾斜路６０は、車椅子１００に乗った入浴者による入浴チャンバ１５への容易なアクセスを促すように、第１の側部がフロアと実質的に同一平面を形成し、第２の側部がベース２０の上方表面と実質的に同一平面を形成している。シャワーシステム１０の複数の側壁３０の少なくとも１つは、凹部７０をも含んでいる。この凹部７０は、取外し可能なウインドウ８０を固定することができる開口を規定するように、側壁３０の上方縁部から下方に延びている。ウインドウ８０は、有利には、介護者がシャワーシステム１０内の入浴者にアクセスして、入浴プロセスを補助することを可能にするように、取り外すことができる。
【００２６】
図４は、本発明の一実施形態に係る、例示的なモジュール式の車椅子で入るシャワーシステム１０を示す斜視図である。図示の実施形態では、シャワーシステム１０は、複数の側壁３０に取り付けられたベース２０と、側壁３０の１つに取り付けられたドア４０とを備えている。ベース２０、側壁３０、及びドア４０は、入浴チャンバ１５を規定している。ドア４０は、ハンドル５０を含んでおり、シャワーシステム１０は、傾斜路６０を含んでいる。この傾斜路６０は、フロア表面から、ベース２０の上方表面上に、傾斜路６０を車椅子で登ることにより、車椅子が入浴チャンバ１５にアクセスすることを可能にする。さらに、側壁３０の１つまたは複数は、取外し可能なウインドウ８０を固定するように構成された凹部７０を含む場合がある。ウインドウ８０が定位置に固定された場合、側壁３０は水密であり、また、ウインドウ８０が取り外された場合、介護者は、入浴チャンバ１５内の入浴者にアクセスして、入浴プロセスを促すことができる。有利には、シャワーシステム１０は、ドア４０が、右か左に開くようにスイングして、シャワーシステムが位置する物理的スペースの特性に適合する様々な方法でシャワーシステム１０を配置することを可能にするように構成することができる。
【００２７】
図５は、本発明の一実施形態に係る、取り外し可能なウインドウ８０を有する、例示的なモジュール式の車椅子で入るシャワーシステム１０を示す斜視図である。図示の実施形態では、シャワーシステム１０は、複数の側壁３０を含んでおり、少なくとも１つの側壁３０は、取外し可能なウインドウ８０が固定される場合がある凹部７０を含んでいる。ウインドウ８０が凹部７０に固定された場合、側壁３０は水密である。ウインドウ８０が凹部７０から取り外されると、凹部７０は、入浴チャンバ１５に開口を提供する。この開口を通して、介護者は、入浴者にアクセスして、入浴プロセスを促すことができる。
【００２８】
代替的実施形態では、ウインドウ８０は、１つまたは複数のヒンジによって側壁３０に取り付けられている。この１つまたは複数のヒンジは、ウインドウ８０がスイングして開くことを可能にし、それにより、入浴チャンバ１５への開口を提供するように構成されている。この開口を通して、介護者は、入浴者にアクセスして、入浴プロセスを促すことができる。そのような実施形態では、１つまたは複数のヒンジは、開く際にウインドウ８０が左か右か下にスイングすることを可能にするように、ウインドウ８０の側部か、ウインドウ８０の底部に配置されている場合がある。
【００２９】
図６は、本発明の一実施形態に係る、介護者によってアクセス可能な、例示的なモジュール式の車椅子で入るシャワーシステム１０を示す斜視図である。図示の実施形態では、シャワーシステム１０は、ドレイン２５を有するベース２０を含んでいる。車椅子１００に乗った入浴者は、ハンドル５０を使用してドア４０を開き、傾斜路６０を車椅子でベース２０の上方表面上へと登ることにより、入浴チャンバ１５にアクセスする。入浴チャンバ１５を出る際には、入浴者は、有利には、車椅子１００のホイールがドア４０を押し、ドア４０を開いた位置にスイングさせて、車椅子１００が傾斜路６０上に車椅子で入ることを可能にし、それにより、チャンバ１５を出るように、後方に向かって車椅子で入る場合がある。
【００３０】
図７は、本発明の一実施形態に係る、側壁３０の凹部７０を介して介護者１１０によってアクセス可能な、例示的なモジュール式の車椅子で入るシャワーシステム１０を示す斜視図である。図示の実施形態では、シャワーシステム１０は、複数の側壁３８を含んでいる。この複数の側壁３８は、車椅子１００に乗った入浴者にフィットするように構成された入浴チャンバ１５を部分的に規定する。側壁３０の１つまたは複数は、側壁３０の上方縁部表面から下方に延びる凹部７０を含んでいる。凹部７０は開口を提供しており、この開口を通して、介護者１１０が、入浴チャンバ１５内の入浴者にアクセスすることができる。一実施形態では、介護者１１０は、シャワーシステム１０の外部の配管に接続されたシャワーワンド１２０を使用する場合があり、それにより、入浴プロセスを補助する。代替的には、介護者１１０は、シャワーシステム１０と一体の配管に接続されたシャワーワンド１２０を使用する場合があり、それにより、入浴プロセスを補助する。
【００３１】
図８は、本発明の一実施形態に係る、例示的なモジュール式の車椅子で入るシャワーシステム１０を示す展開図である。図示のシャワーシステム１０の要素の多くは、たとえば図１に関して上述している。しかし、図８で示した実施形態では、シャワーシステム１０は、少なくともベース２０に接続されるように構成された側柱１３０を備えている。側柱１３０は、側壁３０の１つまたは複数に取り付けられるようにも構成されている場合がある。さらに、ドア４０は、たとえば１つまたは複数のヒンジ（図示せず）によって、側柱１３０に取り付けられるように構成されている。側柱１３０は、ベース２０から上方に延びる少なくとも２つの長手部材１３２と、２つの長手部材１３２の頂端部を接続する少なくとも１つの交差部材１３４とを備えている。
【００３２】
一実施形態では、モジュール式の車椅子で入るシャワーシステム１０は、少なくとも３つの側部と、上方表面と、下側表面とを有するベース２０を備えている。上方表面の少なくとも一部は、スロープを有しており、ベースは、上方表面のもっとも低いポイントにドレイン２５をさらに有している。ベース２０の１つの側部は、ドア用の側部である。シャワーシステム１０は、複数の側壁３０をも含んでいる。この複数の側壁３０は、各々が、ベースに接続され、ベース２０から上方に延びて、実質的に水密なシールを形成するように構成されている。側壁３０は、１つまたは複数の隣接する側壁３０と接続され、実質的に水密なシールを形成するようにも構成されており、それにより、ベースと側壁とが合わさって、ベースの上方の開口と、ドア用の側部の開口とを有する、入浴チャンバを形成するようになっている。シャワーシステム１０は、ベース２０に取り付けられた側柱１３０をも含んでいる。側柱１３０は、少なくとも１つの交差部材１３４によって接続された少なくとも２つの長手部材１３２を含んでいる。
【００３３】
シャワーシステム１０は、側柱１３０に取り付けられたドア４０をも含んでいる。ドア４０は、入浴チャンバへのアクセスを提供するように、ベース２０から外側にスイングするように構成されており、ドア４０は、側柱１３０の一部、及び／または、１つまたは複数の側壁３０の一部と係合することにより、閉じられた際に、実質的に水密なシールを形成するようにも構成されている。さらに、ドア４０は、ドア４０が閉じた位置にスイングするように付勢されるように、側柱１３０に取り付けられている。ドアは、たとえば、１つまたは複数のバネヒンジか、ドアをある角度で取り付けることにより、閉じた位置にスイングするように付勢することができる。
【００３４】
シャワーシステム１０は、フロアと実質的に同一平面を形成する第１の側部と、ベース２０の上方表面と実質的に同一平面を形成する第２の側部とを有するアクセス用傾斜路６０をも含んでいる。有利には、アクセス用傾斜路６０は、ベース２０のドア用の側部に沿ってベース２０に接続されており、アクセス用傾斜路６０は、表面の表面から、ベース２０の上方表面に、そしてひいては、入浴チャンバ内に、車椅子が入ることを可能にするように構成されている。
【００３５】
この実施形態でも、シャワーシステム１０は、入浴チャンバ１５とは反対側を向いた、ドア４０の外側表面に取り付けられたハンドル５０を含んでいる。さらに、側壁３０の１つまたは複数は、側壁３０の頂縁部から下方に延びて、側壁３０に、実質的にＵ形状の開口を形成する凹部７０を含んでいる。凹部７０の縁部の１つまたは複数の部分は、取外し可能なウインドウ８０を凹部７０に固定するように構成されており、それにより、ウインドウ８０が凹部７０に固定された側壁３０が、実質的に水密であるようになっている。有利には、ウインドウ８０が凹部７０から取り外された場合、凹部７０は、介護者がチャンバ１５内の入浴者にアクセスできるようなサイズ及び形状である。シャワーシステム１０は、水の供給源からの水を受領し、チャンバ１５の外に排水するための、１つまたは複数の配管接続をも含んでいる。シャワーシステム１０は、チャンバ１５内へ、及び、チャンバ１５外へ、水を移動するための１つまたは複数のポンプをも含む場合がある。
【００３６】
代替的な実施形態では、ベース２０は、ドア用の側部を除き、ベース２０の各側部に、ベース２０から上方に延びるリップをも含む場合がある。有利には、リップは、シャワーシステム１０の、より水密な構成を促進する。この代替的実施形態では、各側壁３０は、リップの上方表面でベース２０に接続されている。
【００３７】
図９は、本発明の一実施形態に係る、側柱１３０を有する、例示的なモジュール式の車椅子で入るシャワーシステム１０を示す展開図である。図示のシャワーシステム１０の要素の多くは、たとえば図１に関して上述している。図示の実施形態では、側柱１３０は、交差部材１３４によって接続された２つの長手部材１３２を含んでいる。図示の実施形態では、交差部材１３４は、２つの長手部材１３２のそれぞれの底縁部を接続している。交差部材１３４は、ベース２０に接続されており、２つの長手部材１３２の各々は、側壁３０に接続されている。ドア４０は、長手部材１３２の１つか、側壁３０の１つに接続されている場合がある。
【００３８】
一実施形態では、モジュール式の車椅子で入るシャワーシステム１０は、少なくとも３つの側部と、上方表面と、下側表面とを有するベース２０を備えている。上方表面の少なくとも一部は、スロープを有しており、ベースは、上方表面のもっとも低いポイントにドレイン２５をさらに有している。ベース２０の１つの側部は、ドア用の側部である。シャワーシステム１０は、複数の側壁３０をも含んでいる。この複数の側壁３０は、各々が、ベースに接続され、ベース２０から上方に延びて、実質的に水密なシールを形成するように構成されている。側壁３０は、１つまたは複数の隣接する側壁３０と接続され、実質的に水密なシールを形成するようにも構成されており、それにより、ベースと側壁とが合わさって、ベースの上方の開口と、ドア用の側部の開口とを有する、入浴チャンバを形成するようになっている。シャワーシステム１０は、ベース２０に取り付けられた側柱１３０をも含んでいる。側柱１３０は、少なくとも１つの交差部材１３４によって接続された少なくとも２つの長手部材１３２を含んでいる。
【００３９】
シャワーシステム１０は、側柱１３０に取り付けられたドア４０をも含んでいる。ドア４０は、入浴チャンバへのアクセスを提供するように、ベース２０から外側にスイングするように構成されており、ドア４０は、側柱１３０の一部、及び／または、１つまたは複数の側壁３０の一部と係合することにより、閉じられた際に、実質的に水密なシールを形成するようにも構成されている。さらに、ドア４０は、ドア４０が閉じた位置にスイングするように付勢されるように、側柱１３０に取り付けられている。ドアは、たとえば、１つまたは複数のバネヒンジか、ドアをある角度で取り付けることにより、閉じた位置にスイングするように付勢することができる。
【００４０】
シャワーシステム１０は、フロアと実質的に同一平面を形成する第１の側部と、ベース２０の上方表面と実質的に同一平面を形成する第２の側部とを有するアクセス用傾斜路６０をも含んでいる。有利には、アクセス用傾斜路６０は、ベース２０のドア用の側部に沿ってベース２０に接続されており、アクセス用傾斜路６０は、表面の表面から、ベース２０の上方表面に、そしてひいては、入浴チャンバ内に、車椅子が入ることを可能にするように構成されている。
【００４１】
この実施形態でも、シャワーシステム１０は、入浴チャンバ１５とは反対側を向いた、ドア４０の外側表面に取り付けられたハンドル５０を含んでいる。さらに、側壁３０の１つまたは複数は、側壁３０の頂縁部から下方に延びて、側壁３０に、実質的にＵ形状の開口を形成する凹部７０を含んでいる。凹部７０の縁部の１つまたは複数の部分は、取外し可能なウインドウ８０を凹部７０に固定するように構成されており、それにより、ウインドウ８０が凹部７０に固定された側壁３０が、実質的に水密であるようになっている。有利には、ウインドウ８０が凹部７０から取り外された場合、凹部７０は、介護者がチャンバ１５内の入浴者にアクセスできるようなサイズ及び形状である。シャワーシステム１０は、水の供給源からの水を受領し、チャンバ１５の外に排水するための、１つまたは複数の配管接続をも含んでいる。シャワーシステム１０は、チャンバ１５内へ、及び、チャンバ１５外へ、水を移動するための１つまたは複数のポンプをも含む場合がある。
【００４２】
代替的な実施形態では、ベース２０は、ドア用の側部を除き、ベース２０の各側部に、ベース２０から上方に延びるリップをも含む場合がある。有利には、リップは、シャワーシステム１０の、より水密な構成を促進する。この代替的実施形態では、各側壁３０は、リップの上方表面でベース２０に接続されている。
【００４３】
図１０は、本発明の一実施形態に係る、側柱１３０を有する、例示的なモジュール式の車椅子で入るシャワーシステム１０を示す展開図である。図示の実施形態では、側柱１３０は、交差部材１３４によって接続された２つの長手部材１３２を含んでいる。交差部材１３４は、２つの長手部材１３２の各々の、それぞれの底端部間に延びている。交差部材は、ベース２０にも接続されており、２つの長手部材１３２の各々は、側壁３０に接続されている。ドア４０は、長手部材１３２の１つか、側壁３０の１つに接続されている場合がある。さらに、シャワーシステム１０は、水の供給源からの水を受領するため、及び／または、入浴チャンバの外に排水するための、１つまたは複数の配管接続１４５を備えている。配管接続１４５は、入浴チャンバ内へ、及び入浴チャンバから外への、水の移動を促すために、１つまたは複数のポンプに接続されている場合もある。
【００４４】
一実施形態では、モジュール式の車椅子で入るシャワーシステム１０は、少なくとも３つの側部と、上方表面と、下側表面とを有するベース２０を備えている。上方表面の少なくとも一部は、スロープを有しており、ベースは、上方表面のもっとも低いポイントにドレイン２５をさらに有している。ベース２０の１つの側部は、ドア用の側部である。シャワーシステム１０は、複数の側壁３０をも含んでいる。この複数の側壁３０は、各々が、ベースに接続され、ベース２０から上方に延びて、実質的に水密なシールを形成するように構成されている。側壁３０は、１つまたは複数の隣接する側壁３０と接続され、実質的に水密なシールを形成するようにも構成されており、それにより、ベースと側壁とが合わさって、ベースの上方の開口と、ドア用の側部の開口とを有する、入浴チャンバを形成するようになっている。シャワーシステム１０は、ベース２０に取り付けられた側柱１３０をも含んでいる。側柱１３０は、少なくとも１つの交差部材１３４によって接続された少なくとも２つの長手部材１３２を含んでいる。
【００４５】
シャワーシステム１０は、側柱１３０に取り付けられたドア４０をも含んでいる。ドア４０は、入浴チャンバへのアクセスを提供するように、ベース２０から外側にスイングするように構成されており、ドア４０は、側柱１３０の一部、及び／または、１つまたは複数の側壁３０の一部と係合することにより、閉じられた際に、実質的に水密なシールを形成するようにも構成されている。さらに、ドア４０は、ドア４０が閉じた位置にスイングするように付勢されるように、側柱１３０に取り付けられている。ドアは、たとえば、１つまたは複数のバネヒンジか、ドアをある角度で取り付けることにより、閉じた位置にスイングするように付勢することができる。
【００４６】
シャワーシステム１０は、フロアと実質的に同一平面を形成する第１の側部と、ベース２０の上方表面と実質的に同一平面を形成する第２の側部とを有するアクセス用傾斜路６０をも含んでいる。有利には、アクセス用傾斜路６０は、ベース２０のドア用の側部に沿ってベース２０に接続されており、アクセス用傾斜路６０は、表面の表面から、ベース２０の上方表面に、そしてひいては、入浴チャンバ内に、車椅子が入ることを可能にするように構成されている。
【００４７】
この実施形態でも、シャワーシステム１０は、入浴チャンバ１５とは反対側を向いた、ドア４０の外側表面に取り付けられたハンドル５０を含んでいる。さらに、側壁３０の１つまたは複数は、側壁３０の頂縁部から下方に延びて、側壁３０に、実質的にＵ形状の開口を形成する凹部７０を含んでいる。凹部７０の縁部の１つまたは複数の部分は、取外し可能なウインドウ８０を凹部７０に固定するように構成されており、それにより、ウインドウ８０が凹部７０に固定された側壁３０が、実質的に水密であるようになっている。有利には、ウインドウ８０が凹部７０から取り外された場合、凹部７０は、介護者がチャンバ１５内の入浴者にアクセスできるようなサイズ及び形状である。シャワーシステム１０は、水の供給源からの水を受領し、チャンバ１５の外に排水するための、１つまたは複数の配管接続をも含んでいる。シャワーシステム１０は、チャンバ１５内へ、及び、チャンバ１５外へ、水を移動するための１つまたは複数のポンプをも含む場合がある。
【００４８】
代替的な実施形態では、ベース２０は、ドア用の側部を除き、ベース２０の各側部に、ベース２０から上方に延びるリップをも含む場合がある。有利には、リップは、シャワーシステム１０の、より水密な構成を促進する。この代替的実施形態では、各側壁３０は、リップの上方表面でベース２０に接続されている。
【００４９】
当業者には、本明細書に開示の図及び実施形態と合わせて記載した、様々な説明的なブロック、特徴、及び要素が、しばしば、本明細書に記載の機能と同じ機能を実施する、代替的材料及び代替的形状を使用して実施され得ることを理解されたい。この相互交換可能性を明確に説明するために、様々な説明的構成要素、ブロック、特徴、及びステップは、概して、それらに機能性に関して上述されてきた。そのような機能性が、上述のように正確に実施されるかは、全体のシステムに課される特定の用途及び設計上の制約に依存する。当業者は、特定の用途の各々に関し、様々な方法で、記載の機能性を実施することができるが、そのような実施態様の決定は、本発明の範囲からの逸脱としては解釈されないものとする。さらに、特定のモジュール、ブロック、またはステップ内の機能のグループ化は、記載の簡略化のためのものである。具体的な機能またはステップは、本発明の範囲を逸脱することなく、１つのモジュール、ブロック、またはステップから、別のモジュール、ブロック、またはステップに移動することができる。
【００５０】
開示の実施形態の上述の記載は、いずれの当業者にも、本発明を形成または使用することを可能にするために提供されている。これら実施形態に対する様々な変形形態が、当業者には容易に明らかとなり、本明細書に記載の一般的な原理は、本発明の精神または範囲を逸脱することなく、他の実施形態に適用することができる。このため、本明細書に提供される記載及び図面が、現在好まれている本発明の実施形態を代表するものであり、したがって、本発明によって大まかに意図される主題を示すものであることを理解されたい。本発明の範囲が、当業者には明らかとなり得る他の実施形態を完全に包含すること、及び、本発明の範囲が、それに応じては制限されないことを、さらに理解されたい。
【図１】
2020500094.tif 000003
【図２】
2020500094.tif 000004
【図３】
2020500094.tif 000005
【図４】
2020500094.tif 000006
【図５】
2020500094.tif 000007
【図６】
2020500094.tif 000008
【図７】
2020500094.tif 000009
【図８】
2020500094.tif 000010
【図９】
2020500094.tif 000011
【図１０】
2020500094.tif 000012
【国際調査報告】
2020500094.tif 000013